【事件の表示】
　特許第６１１２４８１号発明「引戸装置及び引戸構造」の特許異議申立事件について、次のとおり決定する。
【結　論】
　特許第６１１２４８１号の特許請求の範囲を訂正請求書に添付された訂正特許請求の範囲のとおり、訂正後の請求項〔１−４〕、〔５〕について訂正することを認める。
　特許第６１１２４８１号の請求項１、５に係る特許を維持する。
【理　由】
第１　手続の経緯 
　特許第６１１２４８１号の請求項１及び５に係る特許についての出願は、平成２５年２月１５日に特許出願され、平成２９年３月２４日にその特許権の設定登録がされ、その後、その特許について、平成２９年１０月１２日に特許異議申立人小寺吉衛（以下「申立人」という。）より特許異議の申立てがされ、平成２９年１２月２５日付け（平成３０年１月４日発送）で取消理由が通知され、平成３０年２月２７日に意見書の提出及び訂正の請求がされ、平成３０年４月５日に申立人から意見書が提出されたものである。
第２　訂正請求について 
１　訂正の内容
　本件訂正請求による訂正の内容は次のとおりである。（下線は訂正箇所を示す。）
（１）訂正事項１
　特許請求の範囲の請求項１に
「前記カバー体は、戸幅方向に延びる平板状とされ、前記戸先側縦枠の突出部の上端部の前端面に後面が当接または近接される前側カバー部と、この前側カバー部の長手方向両端側に設けられ、後端面が前記壁体の前面に当接または近接される両側の端部カバー部と、を備え、戸先側の前記端部カバー部は、その内側面が前記戸先側縦枠の突出部の上端部の外側面に当接または近接されることを特徴とする」と記載されているのを、
「前記カバー体は、戸幅方向に延びる平板状とされ、前記戸先側縦枠の突出部の上端部の前端面に後面が当接または近接される前側カバー部と、この前側カバー部の長手方向両端側に設けられ、後端面が前記壁体の前面に当接または近接される両側の端部カバー部と、を備え、戸先側の前記端部カバー部は、その内側面が前記戸先側縦枠の突出部の上端部の外側面に当接または近接される
構成とされており、
　
前記突出部の前記壁体の前面からの突出寸法と、前記壁体の前面から前記前側カバー部までの壁厚方向に沿う寸法と、が略等しくなり、該突出部の突出寸法と前記端部カバー部の壁厚方向に沿う寸法とが略等しくなる
（２）訂正事項２
　特許請求の範囲の請求項２に
「請求項１において、
　前記上レールは、前記壁体の前面に沿って固定される下地桟の下面側に固定される構成
とされ、
　前記下地桟は、その前面が前記上レールの前面よりも僅かに前方に位置し、かつ前記戸先側縦枠の前記突出部の前端面と略同一平面状となるように固定される構成とされ、この下地桟の前面に前記カバー体が固定される構成とされていることを特徴とする」と記載されているのを、独立形式に改め、
「
建物の壁体の前面に沿ってアウトセット納めでスライド自在に吊下支持され、前記壁体に形成された出入開口部を開閉する引戸パネルと、前記出入開口部の戸先側に設けられる戸先側縦枠と、を備えており、
　
前記戸先側縦枠は、前記壁体の前面よりも前方へ突出するように前後に幅広く形成され、この前方に突出するように配置される突出部に、閉鎖状態の前記引戸パネルの戸先側端部を納める凹所を設けている引戸装置であって、
　
前記引戸パネルを吊下支持する上レールは、前記出入開口部の上縁に沿うように、かつ前記壁体の前面よりも前方へ突出するように配設される構成とされており、
　
前記上レールの前方側及び長手方向両端側を囲うように覆い、かつ前記戸先側縦枠の突出部の上端部を受け入れるカバー体を備えており、
　
前記カバー体は、戸幅方向に延びる平板状とされ、前記戸先側縦枠の突出部の上端部の前端面に後面が当接または近接される前側カバー部と、この前側カバー部の長手方向両端側に設けられ、後端面が前記壁体の前面に当接または近接される両側の端部カバー部と、を備え、戸先側の前記端部カバー部は、その内側面が前記戸先側縦枠の突出部の上端部の外側面に当接または近接される構成とされており、
　前記上レールは、前記壁体の前面に沿って固定される下地桟の下面側に固定される構成とされ、
　前記下地桟は、その前面が前記上レールの前面よりも僅かに前方に位置し、かつ前記戸先側縦枠の前記突出部の前端面と略同一平面状となるように固定される構成とされ、この下地桟の前面に前記カバー体が固定される構成とされていることを特徴とする」に訂正する。
（３）訂正事項３
　特許請求の範囲の請求項３に
「請求項１または２において、
　前記引戸パネルの戸先側端部近傍の前後面には、前後方向に突出するように把手が設けられており、後面側の把手は、前記閉鎖状態で前記戸先側縦枠との間に手指の挿入が可能な間隔を空けるように設けられていることを特徴とする」とあるうち、請求項１を引用するものについて、独立形式に改め、
「
建物の壁体の前面に沿ってアウトセット納めでスライド自在に吊下支持され、前記壁体に形成された出入開口部を開閉する引戸パネルと、前記出入開口部の戸先側に設けられる戸先側縦枠と、を備えており、
　
前記戸先側縦枠は、前記壁体の前面よりも前方へ突出するように前後に幅広く形成され、この前方に突出するように配置される突出部に、閉鎖状態の前記引戸パネルの戸先側端部を納める凹所を設けている引戸装置であって、
　
前記引戸パネルを吊下支持する上レールは、前記出入開口部の上縁に沿うように、かつ前記壁体の前面よりも前方へ突出するように配設される構成とされており、
　前記上レールの前方側及び長手方向両端側を囲うように覆い、かつ前記戸先側縦枠の突出部の上端部を受け入れるカバー体を備えており、
　
前記カバー体は、戸幅方向に延びる平板状とされ、前記戸先側縦枠の突出部の上端部の前端面に後面が当接または近接される前側カバー部と、この前側カバー部の長手方向両端側に設けられ、後端面が前記壁体の前面に当接または近接される両側の端部カバー部と、を備え、戸先側の前記端部カバー部は、その内側面が前記戸先側縦枠の突出部の上端部の外側面に当接または近接される構成とされており、
　前記引戸パネルの戸先側端部近傍の前後面には、前後方向に突出するように把手が設けられており、後面側の把手は、前記閉鎖状態で前記戸先側縦枠との間に手指の挿入が可能な間隔を空けるように設けられていることを特徴とする」に訂正する。
（４）訂正事項４
　特許請求の範囲の請求項４に
「請求項１乃至３のいずれか１項において、
　前記出入開口部の戸尻側に設けられる戸尻側縦枠を更に備えており、
　該戸尻側縦枠は、その前端面が前記引戸パネルの後面に近接配置されるように前記戸先側縦枠よりも前後寸法が小さく形成されていることを特徴とする」とあるうち、請求項１を引用するものについて、独立形式に改め、
「
建物の壁体の前面に沿ってアウトセット納めでスライド自在に吊下支持され、前記壁体に形成された出入開口部を開閉する引戸パネルと、前記出入開口部の戸先側に設けられる戸先側縦枠と、を備えており、
　
前記戸先側縦枠は、前記壁体の前面よりも前方へ突出するように前後に幅広く形成され、この前方に突出するように配置される突出部に、閉鎖状態の前記引戸パネルの戸先側端部を納める凹所を設けている引戸装置であって、
　
前記引戸パネルを吊下支持する上レールは、前記出入開口部の上縁に沿うように、かつ前記壁体の前面よりも前方へ突出するように配設される構成とされており、
　
前記上レールの前方側及び長手方向両端側を囲うように覆い、かつ前記戸先側縦枠の突出部の上端部を受け入れるカバー体を備えており、
　
前記カバー体は、戸幅方向に延びる平板状とされ、前記戸先側縦枠の突出部の上端部の前端面に後面が当接または近接される前側カバー部と、この前側カバー部の長手方向両端側に設けられ、後端面が前記壁体の前面に当接または近接される両側の端部カバー部と、を備え、戸先側の前記端部カバー部は、その内側面が前記戸先側縦枠の突出部の上端部の外側面に当接または近接される構成とされており、
　前記出入開口部の戸尻側に設けられる戸尻側縦枠を更に備えており、
　該戸尻側縦枠は、その前端面が前記引戸パネルの後面に近接配置されるように前記戸先側縦枠よりも前後寸法が小さく形成されていることを特徴とする」に訂正する。
（５）訂正事項５
　特許請求の範囲の請求項５に、
「前記カバー体は、戸幅方向に延びる平板状とされ、前記戸先側縦枠の突出部の上端部の前端面に後面が当接または近接された前側カバー部の長手方向両端側に、後端面が前記壁体の前面に当接または近接された両側の端部カバー部を設けた構成とされ、戸先側の前記端部カバー部の内側面が前記戸先側縦枠の突出部の上端部の外側面に当接または近接されていることを特徴とする」と記載されているのを、
「前記カバー体は、戸幅方向に延びる平板状とされ、前記戸先側縦枠の突出部の上端部の前端面に後面が当接または近接された前側カバー部の長手方向両端側に、後端面が前記壁体の前面に当接または近接された両側の端部カバー部を設けた構成とされ、戸先側の前記端部カバー部の内側面が前記戸先側縦枠の突出部の上端部の外側面に当接または近接されて
おり、
　
前記突出部の前記壁体の前面からの突出寸法と、前記壁体の前面から前記前側カバー部までの壁厚方向に沿う寸法と、が略等しくなっており、該突出部の突出寸法と前記端部カバー部の壁厚方向に沿う寸法とが略等しくなっている
２　訂正の目的の適否、新規事項の追加の有無、特許請求の範囲の拡張・変更の存否及び一群の請求項について
（１）訂正事項１について
　ア　訂正の目的の適否について 
　訂正事項１は、請求項１に係る発明の発明特定事項である戸先側縦枠の突出部、カバー体の前側カバー部及び端部カバー部について、「前記突出部の前記壁体の前面からの突出寸法と、前記壁体の前面から前記前側カバー部までの壁厚方向に沿う寸法と、が略等しくなり、該突出部の突出寸法と前記端部カバー部の壁厚方向に沿う寸法とが略等しくなること」に限定するものであるから、特許請求の範囲の減縮を目的とするものである。
　イ　実質上特許請求の範囲を拡張し、又は変更するか否かについて 
　上記アで説示したように、訂正事項１は発明特定事項である戸先側縦枠の突出部、カバー体の前側カバー部及び端部カバー部を限定するものであるから、実質上特許請求の範囲を拡張し、又は変更するものではない。 
　ウ　願書に添付した明細書又は図面（以下「明細書等」という。）に記載した事項の範囲内の訂正であるか否かについて 
　発明の詳細な説明には、
「【００１８】
　この戸先側縦枠２１は、その突出部２２の前端面が引戸パネル１０の前面１３よりも僅かに前方に位置するように配設される。
　この戸先側縦枠２１の突出部２２の壁体２の前面３からの突出寸法（突出部２２の見込み寸法）は、引戸パネル１０の戸先側端部１１を凹所（凹溝）２３に納めることが可能なように、引戸パネル１０の戸厚寸法に応じて適宜、設定するようにしてもよい。また、この突出部２２の見込み寸法は、引戸パネル１０の後面１５と壁体２の前面３（本実施形態では、戸尻側縦枠２４の前端面２４ａ）とのクリアランスを加味して適宜、設定するようにしてもよい。つまり、突出部２２の見込み寸法は、上記クリアランスに引戸パネル１０の戸厚寸法を足し合わせた寸法よりも僅かに大きい寸法としてもよい。」、
及び
「【００２３】
　このカバー体２７は、戸幅方向に延びる平板状の前側カバー部２８と、この前側カバー部２８の長手方向両端側に設けられた端部カバー部２９，２９と、を備えている。これら両側の端部カバー部２９，２９の後端面は、壁体２の前面３に当接または近接される（図３（ｂ）参照）。
　また、図３（ｂ）に示すように、前側カバー部２８の後面は、戸先側縦枠２１の突出部２２の上端部２２ａの前端面に当接または近接される。また、戸先側の端部カバー部２９の内側面は、戸先側縦枠２１の突出部２２の上端部２２ａの反引戸パネル側の側面（外側面）に当接または近接される。」
と記載され、また図１及び図３を参照すると、「前記突出部の前記壁体の前面からの突出寸法と、前記壁体の前面から前記前側カバー部までの壁厚方向に沿う寸法と、が略等しくなり、該突出部の突出寸法と前記端部カバー部の壁厚方向に沿う寸法とが略等しくなっていること」が看取できる。
　よって、訂正事項１は、明細書等に記載した事項の範囲内の訂正である。 
（２）訂正事項２について
　ア　訂正の目的の適否について
　訂正事項２は、訂正前の請求項２の記載が訂正前の請求項１の記載を引用する記載であったものを、請求項間の引用関係を解消し、独立形式請求項へ改めるための訂正であるから、他の請求項の記載を引用する請求項の記載を当該他の請求項の記載を引用しないものとすることを目的とするものである。
　
　イ　実質上特許請求の範囲を拡張し、又は変更するか否かについて 
　訂正事項２は、上記アのとおりの事項を目的とするものであるから、特許請求の範囲を拡張し、又は変更するものではないことは明らかである。
　ウ　明細書等に記載した事項の範囲内の訂正であるか否かについて
　訂正事項２は、上記アのとおりの事項を目的とするものであるから、明細書等に記載した事項の範囲内の訂正であることは明らかである。
（３）訂正事項３について
　ア　訂正の目的の適否について
　訂正事項３は、訂正前の請求項３の記載が訂正前の請求項１または２の記載を引用する記載であったものを、請求項２を引用しないものとした上で、請求項１を引用するものについて請求項間の引用関係を解消し、独立形式請求項へ改めるための訂正であるから、他の請求項の記載を引用する請求項の記載を当該他の請求項の記載を引用しないものとすることを目的とするものである。
　
　イ　実質上特許請求の範囲を拡張し、又は変更するか否かについて 
　訂正事項３は、上記アのとおりの事項を目的とするものであるから、特許請求の範囲を拡張し、又は変更するものではないことは明らかである。
　ウ　明細書等に記載した事項の範囲内の訂正であるか否かについて
　訂正事項３は、上記アのとおりの事項を目的とするものであるから、明細書等に記載した事項の範囲内の訂正であることは明らかである。
（４）訂正事項４について
　ア　訂正の目的の適否について
　訂正事項４は、訂正前の請求項４の記載が訂正前の請求項１〜３のいずれか１項の記載を引用する記載であったものを、請求項２、３を引用しないものとした上で、請求項１を引用するものについて請求項間の引用関係を解消し、独立形式請求項へ改めるための訂正であるから、他の請求項の記載を引用する請求項の記載を当該他の請求項の記載を引用しないものとすることを目的とするものである。
　
　イ　実質上特許請求の範囲を拡張し、又は変更するか否かについて 
　訂正事項４は、上記アのとおりの事項を目的とするものであるから、特許請求の範囲を拡張し、又は変更するものではないことは明らかである。
　ウ　明細書等に記載した事項の範囲内の訂正であるか否かについて
　訂正事項４は、上記アのとおりの事項を目的とするものであるから、明細書等に記載した事項の範囲内の訂正であることは明らかである。
（５）訂正事項５について
　ア　訂正の目的の適否について 
　訂正事項５は、請求項５に係る発明の発明特定事項である戸先側縦枠の突出部、カバー体の前側カバー部及び端部カバー部について、「前記突出部の前記壁体の前面からの突出寸法と、前記壁体の前面から前記前側カバー部までの壁厚方向に沿う寸法と、が略等しくなっており、該突出部の突出寸法と前記端部カバー部の壁厚方向に沿う寸法とが略等しくなっている」ことに限定するものであるから、特許請求の範囲の減縮を目的とするものである。
　イ　実質上特許請求の範囲を拡張し、又は変更するか否かについて 
　上記アで説示したように、訂正事項５は発明特定事項である戸先側縦枠の突出部、カバー体の前側カバー部及び端部カバー部を限定するものであるから、実質上特許請求の範囲を拡張し、又は変更するものではない。 
　ウ　願書に添付した明細書又は図面（以下「明細書等」という。）に記載した事項の範囲内の訂正であるか否かについて 
　発明の詳細な説明には、「【００１８】
　この戸先側縦枠２１は、その突出部２２の前端面が引戸パネル１０の前面１３よりも僅かに前方に位置するように配設される。
　この戸先側縦枠２１の突出部２２の壁体２の前面３からの突出寸法（突出部２２の見込み寸法）は、引戸パネル１０の戸先側端部１１を凹所（凹溝）２３に納めることが可能なように、引戸パネル１０の戸厚寸法に応じて適宜、設定するようにしてもよい。また、この突出部２２の見込み寸法は、引戸パネル１０の後面１５と壁体２の前面３（本実施形態では、戸尻側縦枠２４の前端面２４ａ）とのクリアランスを加味して適宜、設定するようにしてもよい。つまり、突出部２２の見込み寸法は、上記クリアランスに引戸パネル１０の戸厚寸法を足し合わせた寸法よりも僅かに大きい寸法としてもよい。」
及び、
「【００２３】
　このカバー体２７は、戸幅方向に延びる平板状の前側カバー部２８と、この前側カバー部２８の長手方向両端側に設けられた端部カバー部２９，２９と、を備えている。これら両側の端部カバー部２９，２９の後端面は、壁体２の前面３に当接または近接される（図３（ｂ）参照）。
　また、図３（ｂ）に示すように、前側カバー部２８の後面は、戸先側縦枠２１の突出部２２の上端部２２ａの前端面に当接または近接される。また、戸先側の端部カバー部２９の内側面は、戸先側縦枠２１の突出部２２の上端部２２ａの反引戸パネル側の側面（外側面）に当接または近接される。」
と記載され、また図１及び図３を参照すると、「前記突出部の前記壁体の前面からの突出寸法と、前記壁体の前面から前記前側カバー部までの壁厚方向に沿う寸法と、が略等しくなり、該突出部の突出寸法と前記端部カバー部の壁厚方向に沿う寸法とが略等しくなっていること」が看取できる。
　よって、訂正事項５は、明細書等に記載した事項の範囲内の訂正である。
（６）一群の請求項 
　訂正事項１〜４に係る訂正前の請求項１〜４について、請求項２〜４はそれぞれ請求項１を引用しているものであるから、訂正前の請求項１〜４に対応する訂正後の請求項１〜４は、特許法第１２０条の５第４項に規定する一群の請求項である。
３　小括 
　以上のとおりであるから、本件訂正請求による訂正は、特許法第１２０条の５第２項ただし書第１号及び第４号に掲げる事項を目的とするものであり、かつ、同条第９項で準用する同法第１２６条第５項及び第６項の規定に適合するので、訂正後の請求項〔１〜４〕、〔５〕について訂正を認める。 
第３　訂正後の請求項１及び５に係る発明 
　上記訂正請求により訂正された請求項１及び５に係る発明（以下、それぞれ「本件発明１」及び「本件発明５」という。）は、その特許請求の範囲の請求項１及び５に記載された次の事項により特定されるとおりのものである。 
「【請求項１】
　建物の壁体の前面に沿ってアウトセット納めでスライド自在に吊下支持され、前記壁体に形成された出入開口部を開閉する引戸パネルと、前記出入開口部の戸先側に設けられる戸先側縦枠と、を備えており、
　前記戸先側縦枠は、前記壁体の前面よりも前方へ突出するように前後に幅広く形成され、この前方に突出するように配置される突出部に、閉鎖状態の前記引戸パネルの戸先側端部を納める凹所を設けている引戸装置であって、
　前記引戸パネルを吊下支持する上レールは、前記出入開口部の上縁に沿うように、かつ前記壁体の前面よりも前方へ突出するように配設される構成とされており、
　前記上レールの前方側及び長手方向両端側を囲うように覆い、かつ前記戸先側縦枠の突出部の上端部を受け入れるカバー体を備えており、
　前記カバー体は、戸幅方向に延びる平板状とされ、前記戸先側縦枠の突出部の上端部の前端面に後面が当接または近接される前側カバー部と、この前側カバー部の長手方向両端側に設けられ、後端面が前記壁体の前面に当接または近接される両側の端部カバー部と、を備え、戸先側の前記端部カバー部は、その内側面が前記戸先側縦枠の突出部の上端部の外側面に当接または近接される構成とされており、
　前記突出部の前記壁体の前面からの突出寸法と、前記壁体の前面から前記前側カバー部までの壁厚方向に沿う寸法と、が略等しくなり、該突出部の突出寸法と前記端部カバー部の壁厚方向に沿う寸法とが略等しくなることを特徴とする引戸装置。」
「【請求項５】
　建物の壁体に形成された出入開口部を開閉する引戸パネルを、前記壁体の前面に沿ってアウトセット納めでスライド自在に吊下支持させ、前記出入開口部の戸先側に設けた戸先側縦枠を、前記壁体の前面よりも前方へ突出させるよう前後に幅広く形成し、該戸先側縦枠の突出部に、閉鎖状態の前記引戸パネルの戸先側端部を納める凹所を設けた引戸構造であって、
　前記引戸パネルを吊下支持する上レールを、前記出入開口部の上縁に沿うように、かつ前記壁体の前面よりも前方へ突出するように配設し、
　前記上レールの前方側及び長手方向両端側を囲うように覆い、かつ前記戸先側縦枠の突出部の上端部を受け入れるカバー体を設け、
　前記カバー体は、戸幅方向に延びる平板状とされ、前記戸先側縦枠の突出部の上端部の前端面に後面が当接または近接された前側カバー部の長手方向両端側に、後端面が前記壁体の前面に当接または近接された両側の端部カバー部を設けた構成とされ、戸先側の前記端部カバー部の内側面が前記戸先側縦枠の突出部の上端部の外側面に当接または近接されており、
　前記突出部の前記壁体の前面からの突出寸法と、前記壁体の前面から前記前側カバー部までの壁厚方向に沿う寸法と、が略等しくなっており、該突出部の突出寸法と前記端部カバー部の壁厚方向に沿う寸法とが略等しくなっていることを特徴とする引戸装置。」
第４　特許異議の申立てについて 
１　取消理由の概要 
　訂正前の請求項１及び５に係る特許に対して、平成２９年１２月２５日付けで特許権者に通知した取消理由の要旨は次のとおりである。 
　本件特許の請求項１及び５に係る発明は、甲第１号証ないし甲第４号証に記載された発明に基いて、当業者が容易に発明をすることができたものであって、特許法第２９条第２項の規定により特許を受けることができないから、その発明に係る特許は取り消すべきものである。  
　
［証拠］ 
甲第１号証：特開２０１１−２２６０６４号公報
甲第２号証：「ご高齢者の暮らす住空間向け建材　おもいやりシリーズ　ドア／収納／手摺／階段／床／壁／天井／造作部材／畳」第４刷、大建工業株式会社、２０１２年５月、１２１頁、１２２頁 
甲第３号証：「建材総合　リビエリアロ　インテリア住宅部材」第３版、パナソニック株式会社、２０１２年８月、２９５頁 
甲第４号証：特開２０１３−２０３８号公報 
２　甲号証の記載 
（１）甲第１号証
　取消理由通知において引用した甲第１号証には、次の発明（以下「甲１発明」という。）が記載されているものと認める。
「（Ａ）建物の内壁２の壁面２ａに沿ってアウトセット納めでスライド自在に吊下支持され、前記内壁２に形成された出入口としての開口５を開閉する引戸７と、
（Ｂ）前記開口５の戸先側に設けられる縦本枠６ａ及び縦額縁６ｂからなる縦枠と、を備えており、
（Ｃ’）前記戸先側縦枠は、前記内壁２の壁面２ａよりも前方へ突出するように形成されている引戸装置であって、
（Ｅ）前記引き戸７を吊下支持する上レール２０は、前記開口５の上縁に沿うように、かつ前記内壁２の壁面２ａよりも前方へ突出するように配設される構成とされており、
（Ｆ’）前記上レール２０の前方側及び長手方向両端側を囲うように覆うカバー部材５０を備えており、
（Ｇ’）前記カバー部材５０は、戸幅方向に延びる平板状とされた前側の幕板５１と、この幕板５１の長手方向両端側に設けられ、後端面が前記内壁２の前面に当接または近接される両側のエンドキャップ５２と、を備え、
（Ｈ’）戸先側の前記エンドキャップ５２は、その内側面が前記戸先側縦枠における縦額縁６ｂの上端部の外側面に当接または近接する引戸装置。」（申立人の主張のとおりとした。）
（２）甲第２号証
　取消理由通知において引用した甲第１号証において、１２１頁の「アウトセットタイプ」の「横断面図」を参照すると、戸先側縦枠は、壁体の前面よりも前方へ突出するように前後に幅広く形成され、この前方に突出するように配置される突出部に、閉鎖状態の引戸パネルの戸先側端部を収める凹所を設けていることが看取できる。
（３）甲第３号証
　取消理由通知において引用した甲第３号証において、２９５頁の「正面図」及び「横断面図」を参照すると、上レールの前方側及び長手方向両端側を囲うように覆うカバー体が看取でき、また、【鎌錠タイプの場合】を参照すると、壁体の前面よりも前方へ突出するように前後に幅広く形成され、この前方に突出するように配置される突出部に、閉鎖状態の引戸パネルの戸先側端部が当接することが看取できる。　
（４）甲第４号証
　取消理由通知において引用した甲第４号証には、次の発明（以下「甲４発明」という。）が記載されているものと認める。
「吊り引戸用ガイドレール（Ｒ）から垂下する吊り引戸（１０）と、上枠部（３８）と戸先側及び戸尻側の縦枠部（３９）からなる門字形開口枠（Ｆ）を備えており、 
　吊り引戸用ガイドレール（Ｒ）を組み付けるレール取付ブラケット（Ｂ）は、建物の壁面（Ｗ）にフイットする背板片（１１）と、その背板片（１１）の上端部から前方（正面側）へ一定の長さ（帯幅）（Ｌ）だけ連続的に張り出す水平な天井板片（１２）と、その天井板片（１２）の後端部付近から一定角度（α）の後上がり傾斜状態に起立する取付板片（１３）と、同じく天井板片（１２）の前端部から連続して上下方向へ直交状態に張り出す前化粧板片（１４）とを備えた断面形状のアルミ押出材から成り、壁面（Ｗ）へアウトセット（外付け）施工されるようになっており、 
　前化粧板片（１４）における上記水平の天井板片（１２）から垂下する下側板片部（１４ｂ）の深さ（ｄ２）は、上枠部の開口面（下端面）とほぼ一致する位置までの寸法として設定されて、上枠部の上端面（３８ａ）である縦枠材の上端と、吊り引戸（１０）の上端は、下側板片部（１４ｂ）の下端及び上枠部の開口面（下端面）よりも上方に位置しており、 
　レール取付ブラケット（Ｂ）には、両サイド方向から、その上端縁部と下端縁部が上記前化粧板片（１４）のそれとほぼ同等の高さ位置に揃う大きさの長方形として、その前化粧板片（１４）の下側板片部（１４ｂ）とほぼ同じ深さ（ｄ２）を有する左右両サイドカバー板（２３）（２４）が各々取り付け固定され、 
　これによって、吊り引戸（１０）のガイドレール（Ｒ）のみならず、そのガイドレール（Ｒ）とこれから垂下する吊り引戸（１０）との上下相互間隙（Ｓ）をも、前方（正面側）や前下方から全然目視できない状態に被覆化粧している、 
　建物の開口部へアウトセット（外付け）施工される吊り引戸。」 （取消理由通知５頁（キ）参照。）
３　判断
（１）本件発明１について 
　ア　甲第１号証を主引用例として検討
　（ア）対比
　本件発明１と甲１発明を対比すると、以下の２点で相違している。
（概ね、申立人の主張する相違点１及び２が以下の相違点１、同じく相違点３〜５が以下の相違点２とする。）
（相違点１）「戸先側縦枠」について、本件発明１は、「壁体の前面よりも前方へ突出するように前後に幅広く形成され、この前方に突出するように配置される突出部に、閉鎖状態の引き戸パネルの戸先側端部を収める凹所を設けている」のに対し、甲１発明はそのような特定がない点。
（相違点２）「カバー体」について、本件発明１は、「戸先側縦枠の突出部の上端部を受け入れるものであって、
　前側カバー部は、戸先側縦枠の突出部の上端部の前端面に後面が当接または近接され、戸先側の端部カバー部は、その内側面が戸先側縦枠の突出部の上端部の外側面に当接または近接される構成とされており、
　突出部の壁体の前面からの突出寸法と、壁体の前面から前側カバー部までの壁厚方向に沿う寸法と、が略等しくなり、該突出部の突出寸法と端部カバー部の壁厚方向に沿う寸法とが略等しくなる」のに対し、甲１発明は、そのような特定がない点。
　（イ）相違点の判断
　相違点１及び２について検討する。。
　　ａ　甲第２号証には、上記相違点１に係る構成が記載されており、当該構成を甲１発明に適用することにより、一応、相違点１に係る本件発明１の構成になり得るといえる。
　　ｂ　そして、甲第４号証には、上記２（４）で示したとおりの甲４発明が記載されており、甲４発明は、縦枠材の上端の下方にその下端が位置する前化粧板片（１４）と左右両サイドカバー板（２３）（２４）によって、ガイドレール（Ｒ）、及び吊り引戸（１０）とガイドレール（Ｒ）との上下相互間隙（Ｓ）を目視できない状態に被覆化粧していることから、上記ａに加えて、甲１発明のカバー部材５０（前側の幕板５１と、この幕板５１の長手方向両端側に設けられたエンドキャップ５２）に、甲４発明を適用すれば、一応、カバー部材５０は、戸先側縦枠の突出部の上端部を覆う（受け入れる）構成となり得るといえる。
　しかしながら、戸先側縦枠の突出部の上端部と前側カバー部や端部カバー部が当接または近接するかどうか、さらに、壁体の前面からの該突出部の突出寸法と、前側カバー部や端部カバー部が壁体の前面から壁厚方向に沿う寸法との関係については不明である。
　また、甲第３号証にも、当該不明な事項について記載されておらず、示唆する記載もない。
　  ｃ　申立人は、特許異議申立書において、「甲１発明に、『戸先側縦枠を前後に幅広く形成して壁面の前面よりも前方へ突出する突出部を設ける』という甲２記載事項１と、『前化粧板片の上下幅を下端部が上枠部下端面の高さ位置になるように設定して、その前化粧板片により引戸の上端部を覆う』という甲４記載事項１とを適用することにより、引戸パネルの上端部に加え、戸先側縦枠の前方に突出する突出部についても、カバー体の前側カバー部が覆うようにし、その状態で、『前側カバー部が、戸先側縦枠の突出部の上端部の前端面に後面が当接または近接される』ようにすることは容易に想到し得るものである。」（申立書１７頁１９〜２６行）、「甲１発明に、『戸先側縦枠を前後に幅広く形成して壁面の前面よりも前方へ突出する突出部を設ける』という甲２記載事項１と、『サイドカバー板の上下幅を下端部が上枠部下端面の高さ位置になるように設定して、そのサイドカバー板により引戸の上端部を覆う』という甲４記載事項２とを適用することにより、『戸先側の端部カバー部を、その内側面が戸先側縦枠の突出部の上端部の外側面に当接または近接される』ようにすることは当業者であれば容易に想到し得るものである。」（申立書１８頁１０〜１６行）と主張している。
　　ｄ　上記ｃの主張について検討すると、甲１発明に、甲２記載事項１と、甲４記載事項１または２を適用することにより、前側カバー部と戸先側の端部カバー部が、戸先側縦枠の突出部の上端部を覆うことになるとしても、戸先側縦枠の突出部の上端部と、前側カバー部や端部カバー部が当接または近接するかどうか、さらには、壁体の前面からの該突出部の突出寸法と、前側カバー部や端部カバー部が壁体の前面から壁厚方向に沿う寸法との関係については、上記ｂで説示したとおり、申立人が提出した証拠には記載も示唆もされておらず、また、当業者が容易に想到し得るといえる理由もない。
　よって、申立人の主張は採用できない。
　　ｅ　したがって、本件発明１は、甲１発明、及び甲第２号証ないし甲第４号証に記載の発明に基いて、当業者が容易に発明をすることができたものではない。
　イ　甲第４号証を主引用例として検討
　（ア）対比
　本件発明１と甲４発明を対比すると、以下の２点で相違している。
（相違点Ａ）「戸先側縦枠」について、本件発明１は、「壁体の前面よりも前方へ突出するように前後に幅広く形成され、この前方に突出するように配置される突出部に、閉鎖状態の引き戸パネルの戸先側端部を収める凹所を設けてなる」のに対し、甲４発明はそのような特定がない点。
（相違点Ｂ）「カバー体」について、本件発明１は、「戸先側縦枠の突出部の上端部を受け入れるものであって、
　前側カバーは、戸幅方向に延びる平板状とされ、戸先側縦枠の突出部の上端部の前端面に後面が当接または近接され、戸先側の端部カバー部は、その内側面が戸先側縦枠の突出部の上端部の外側面に当接または近接される構成とされており、
　突出部の壁体の前面からの突出寸法と、壁体の前面から前側カバー部までの壁厚方向に沿う寸法と、が略等しくなり、該突出部の突出寸法と端部カバー部の壁厚方向に沿う寸法とが略等しくなる」のに対し、甲４発明は、そのような特定がない点。
　（イ）相違点の判断
　相違点Ａ及びＢについて検討する。
　　ａ　甲第２号証には、上記相違点Ａに係る構成が記載されており、当該構成を甲４発明に適用することにより、一応、相違点Ａに係る本件発明１の構成になり得るといえる。
　　ｂ　また、甲４発明は、縦枠材の上端の下方にその下端が位置する前化粧板片（１４）と左右両サイドカバー板（２３）（２４）によって、ガイドレール（Ｒ）、及び吊り引戸（１０）とガイドレール（Ｒ）との上下相互間隙（Ｓ）を目視できない状態に被覆化粧していることから、甲４発明に甲第２号証に記載の事項を適用すれば、上記ａに加えて、一応、前化粧板片（１４）と、左右両サイドカバー部（２３）（２４）が戸先側縦枠の突出部の上端部を覆う（受け入れる）構成になり得るといえる。
　しかしながら、戸先側縦枠の突出部の上端部と前側カバー部や端部カバー部が当接または近接するかどうか、さらに、壁体の前面からの該突出部の突出寸法と、前側カバー部や端部カバー部が壁体の前面から壁厚方向に沿う寸法との関係については不明である。
　また、甲第１号証及び甲第３号証にも、当該不明な事項について記載されておらず、示唆する記載もない。
　　ｃ　したがって、本件発明１は、甲４発明、及び甲第１号証ないし甲第３号証に記載の発明に基いて、当業者が容易に発明をすることができたものではない。
　
　ウ　小括
　以上のとおり、本件発明１は、甲第１号証ないし甲第４号証に記載された発明に基いて、当業者が容易に発明をすることができたものではない。
（２）本件発明５について
　本件発明５は、引戸装置である本件発明１を、実質的に引戸構造の発明に書き替えたものである。
　本件発明５と甲１発明を対比すると、上記（１）ア（ア）で示した相違点１及び２で相違し、その判断も、上記（１）ア（イ）で示したとおりである。
　また、本件発明５を甲４発明を対比すると、上記（１）イ（ア）で示した相違点Ａ及びＢで相違し、その判断も、上記（１）イ（イ）で示したとおりである。
　よって、本件発明５は、甲第１号証ないし甲第４号証に記載された発明に基いて、当業者が容易に発明をすることができたものではない。
第４　むすび 
　以上のとおりであるから、取消理由通知に記載した取消理由及び特許異議申立書に記載した特許異議申立理由及び証拠によっては、本件発明１及び５に係る特許を取り消すことはできない。
　また、他に本件発明１及び５に係る特許を取り消すべき理由を発見しない。
　
　よって、結論のとおり決定する。
【異議決定日】
平成３０年６月６日（２０１８．６．６）
【訂正の要旨】
審決（決定）の【理由】欄参照。
（５７）【特許請求の範囲】
　【請求項１】
　建物の壁体の前面に沿ってアウトセット納めでスライド自在に吊下支持され、前記壁体に形成された出入開口部を開閉する引戸パネルと、前記出入開口部の戸先側に設けられる戸先側縦枠と、を備えており、
　前記戸先側縦枠は、前記壁体の前面よりも前方へ突出するように前後に幅広く形成され、この前方に突出するように配置される突出部に、閉鎖状態の前記引戸パネルの戸先側端部を納める凹所を設けている引戸装置であって、
　前記引戸パネルを吊下支持する上レールは、前記出入開口部の上縁に沿うように、かつ前記壁体の前面よりも前方へ突出するように配設される構成とされており、
　前記上レールの前方側及び長手方向両端側を囲うように覆い、かつ前記戸先側縦枠の突出部の上端部を受け入れるカバー体を備えており、
　前記カバー体は、戸幅方向に延びる平板状とされ、前記戸先側縦枠の突出部の上端部の前端面に後面が当接または近接される前側カバー部と、この前側カバー部の長手方向両端側に設けられ、後端面が前記壁体の前面に当接または近接される両側の端部カバー部と、を備え、戸先側の前記端部カバー部は、その内側面が前記戸先側縦枠の突出部の上端部の外側面に当接または近接される
構成とされており、
　
前記突出部の前記壁体の前面からの突出寸法と、前記壁体の前面から前記前側カバー部までの壁厚方向に沿う寸法と、が略等しくなり、該突出部の突出寸法と前記端部カバー部の壁厚方向に沿う寸法とが略等しくなる
　【請求項２】
　
建物の壁体の前面に沿ってアウトセット納めでスライド自在に吊下支持され、前記壁体に形成された出入開口部を開閉する引戸パネルと、前記出入開口部の戸先側に設けられる戸先側縦枠と、を備えており、
　
前記戸先側縦枠は、前記壁体の前面よりも前方へ突出するように前後に幅広く形成され、この前方に突出するように配置される突出部に、閉鎖状態の前記引戸パネルの戸先側端部を納める凹所を設けている引戸装置であって、
　
前記引戸パネルを吊下支持する上レールは、前記出入開口部の上縁に沿うように、かつ前記壁体の前面よりも前方へ突出するように配設される構成とされており、
　
前記上レールの前方側及び長手方向両端側を囲うように覆い、かつ前記戸先側縦枠の突出部の上端部を受け入れるカバー体を備えており、
　
前記カバー体は、戸幅方向に延びる平板状とされ、前記戸先側縦枠の突出部の上端部の前端面に後面が当接または近接される前側カバー部と、この前側カバー部の長手方向両端側に設けられ、後端面が前記壁体の前面に当接または近接される両側の端部カバー部と、を備え、戸先側の前記端部カバー部は、その内側面が前記戸先側縦枠の突出部の上端部の外側面に当接または近接される構成とされており、
　前記上レールは、前記壁体の前面に沿って固定される下地桟の下面側に固定される構成とされ、
　前記下地桟は、その前面が前記上レールの前面よりも僅かに前方に位置し、かつ前記戸先側縦枠の前記突出部の前端面と略同一平面状となるように固定される構成とされ、この下地桟の前面に前記カバー体が固定される構成とされていることを特徴とする引戸装置。
　【請求項３】
　
建物の壁体の前面に沿ってアウトセット納めでスライド自在に吊下支持され、前記壁体に形成された出入開口部を開閉する引戸パネルと、前記出入開口部の戸先側に設けられる戸先側縦枠と、を備えており、
　
前記戸先側縦枠は、前記壁体の前面よりも前方へ突出するように前後に幅広く形成され、この前方に突出するように配置される突出部に、閉鎖状態の前記引戸パネルの戸先側端部を納める凹所を設けている引戸装置であって、
　
前記引戸パネルを吊下支持する上レールは、前記出入開口部の上縁に沿うように、かつ前記壁体の前面よりも前方へ突出するように配設される構成とされており、
　
前記上レールの前方側及び長手方向両端側を囲うように覆い、かつ前記戸先側縦枠の突出部の上端部を受け入れるカバー体を備えており、
　
前記カバー体は、戸幅方向に延びる平板状とされ、前記戸先側縦枠の突出部の上端部の前端面に後面が当接または近接される前側カバー部と、この前側カバー部の長手方向両端側に設けられ、後端面が前記壁体の前面に当接または近接される両側の端部カバー部と、を備え、戸先側の前記端部カバー部は、その内側面が前記戸先側縦枠の突出部の上端部の外側面に当接または近接される構成とされており、
　前記引戸パネルの戸先側端部近傍の前後面には、前後方向に突出するように把手が設けられており、後面側の把手は、前記閉鎖状態で前記戸先側縦枠との間に手指の挿入が可能な間隔を空けるように設けられていることを特徴とする引戸装置。
　【請求項４】
　
建物の壁体の前面に沿ってアウトセット納めでスライド自在に吊下支持され、前記壁体に形成された出入開口部を開閉する引戸パネルと、前記出入開口部の戸先側に設けられる戸先側縦枠と、を備えており、
　
前記戸先側縦枠は、前記壁体の前面よりも前方へ突出するように前後に幅広く形成され、この前方に突出するように配置される突出部に、閉鎖状態の前記引戸パネルの戸先側端部を納める凹所を設けている引戸装置であって、
　
前記引戸パネルを吊下支持する上レールは、前記出入開口部の上縁に沿うように、かつ前記壁体の前面よりも前方へ突出するように配設される構成とされており、
　
前記上レールの前方側及び長手方向両端側を囲うように覆い、かつ前記戸先側縦枠の突出部の上端部を受け入れるカバー体を備えており、
　
前記カバー体は、戸幅方向に延びる平板状とされ、前記戸先側縦枠の突出部の上端部の前端面に後面が当接または近接される前側カバー部と、この前側カバー部の長手方向両端側に設けられ、後端面が前記壁体の前面に当接または近接される両側の端部カバー部と、を備え、戸先側の前記端部カバー部は、その内側面が前記戸先側縦枠の突出部の上端部の外側面に当接または近接される構成とされており、
　前記出入開口部の戸尻側に設けられる戸尻側縦枠を更に備えており、
　該戸尻側縦枠は、その前端面が前記引戸パネルの後面に近接配置されるように前記戸先側縦枠よりも前後寸法が小さく形成されていることを特徴とする引戸装置。
　【請求項５】
　建物の壁体に形成された出入開口部を開閉する引戸パネルを、前記壁体の前面に沿ってアウトセット納めでスライド自在に吊下支持させ、前記出入開口部の戸先側に設けた戸先側縦枠を、前記壁体の前面よりも前方へ突出させるよう前後に幅広く形成し、該戸先側縦枠の突出部に、閉鎖状態の前記引戸パネルの戸先側端部を納める凹所を設けた引戸構造であって、
　前記引戸パネルを吊下支持する上レールを、前記出入開口部の上縁に沿うように、かつ前記壁体の前面よりも前方へ突出するように配設し、
　前記上レールの前方側及び長手方向両端側を囲うように覆い、かつ前記戸先側縦枠の突出部の上端部を受け入れるカバー体を設け、
　前記カバー体は、戸幅方向に延びる平板状とされ、前記戸先側縦枠の突出部の上端部の前端面に後面が当接または近接された前側カバー部の長手方向両端側に、後端面が前記壁体の前面に当接または近接された両側の端部カバー部を設けた構成とされ、戸先側の前記端部カバー部の内側面が前記戸先側縦枠の突出部の上端部の外側面に当接または近接されて
おり、
　
前記突出部の前記壁体の前面からの突出寸法と、前記壁体の前面から前記前側カバー部までの壁厚方向に沿う寸法と、が略等しくなっており、該突出部の突出寸法と前記端部カバー部の壁厚方向に沿う寸法とが略等しくなっている